(57)【要約】      （修正有）【課題】油分と水分からなる液体を保存する容器であって、容器を上下左右に振ることなく容易に液体を撹拌するための容器を提供する。【解決手段】従来の容器同様に蓋部１、容器本体２を備えている。撹拌スクリュー４を備えた容器底部（脱着式）５を有し、使用者が操作部２４を上下させる操作を動力とし、この動力を回転機構を通じて撹拌スクリュー４まで伝え、容器本体２に保存されている液体を容易に撹拌できることを特徴としている。【選択図】図１
0003194290.tif 000002
【実用新案登録請求の範囲】
【請求項１】
容器内部に撹拌スクリューを取り付け、前記撹拌スクリューを回転させるための操作部と回転機構を有することを特徴とした液体容器。
【考案の詳細な説明】
【技術分野】
【０００１】
本発明は、液体を保存する容器に関するものである。
【背景技術】
【０００２】
従来より、油分と水分からなる液体を保存する容器がある。こうした容器に保存された液体は、そのまま放置すると比重差により容器内の上層部に油分が、下層部に水分が分離した状態となる。このため、液体（例えばドレッシング）を使用する際は、容器を手で上下左右に振ることで油分と水分が十分に混ざり合った状態にして使用されている。
【先行技術文献】
【特許文献】
【０００３】
【特許文献１】特開２００９−１６２２０９号
【考案の概要】
【考案が解決しようとする課題】
【０００４】
従来の容器では、油分と水分を撹拌するために手で上下左右に振る必要があるが、蓋の密着が悪い場合や蓋がしっかり閉まっていない場合、液体が漏れて手に付着したり、容器側面から底部まで液体が垂れて周囲を汚してしまうことがある。例えば、液体がドレッシングの場合、 このようにして発生する汚れはドレッシングの使用頻度が高い飲食店ほど顕著であり、汚れた状態で放置された場合、後から入店したお客が容器を振るために手にした瞬間に手が油まみれになってしまうこととなり、お客に対して不快感を与えることがあるうえ、油汚れであることから従業員は清掃に一段と手間がかかってしまう。
【０００５】
更に、座席間隔が狭い飲食店においては、容器を上下左右に振る際に隣に座っている人に接触しないよう注意する必要がある。
【０００６】
更に、筋力の低下した高齢者にとって、容器を勢いよく上下左右に振る行為は大変な動作である。
【０００７】
そこで、本発明は容器を上下左右に振ることなく容易に液体を撹拌するための容器を提供することを目的とする。
【課題を解決するための手段】
【０００８】
請求項１に記載の発明は、容器内部に撹拌スクリューを取り付け、前記撹拌スクリューを回転させるための操作部と回転機構を有することを要旨とする。従って、請求項１の発明によれば、使用者の操作部を上下させる直線運動が回転運動に変換され、前記撹拌スクリューが回転して容器内部の液体を十分に混ざり合った状態にすることが可能となる。
【考案の効果】
【０００９】
本発明は、操作部に連結されたラックを上下させる直線運動を、ラックと噛み合わせるように配置したワンウェイクラッチにより上下の直線運動を無駄なく回転運動に変換し、この回転運動を歯車で伝達して容器内部の撹拌スクリューを回転させるための動力とし、容器を上下左右に振ることなく液体を撹拌させることができる。
【図面の簡単な説明】
【００１０】
【図１】断面図１
【図２】断面図２
【図３】平面図
【考案を実施するための形態】
【００１１】
以下、本発明を具体化した実施形態を図面に基づいて説明する。
【００１２】
図1ないし図３に示すように、従来の容器同様に蓋部１、容器本体２を備えている。本発明は、撹拌スクリュー４を備えた容器底部（脱着式）５を有し、使用者が操作部２４を上下させる操作を動力とし、この動力を回転機構を通じて撹拌スクリュー４まで伝え、容器本体２に保存されている液体を容易に撹拌できることを特徴としている。
【００１３】
次に、本発明の使用例及び作用を説明する。
【００１４】
先ず、使用者が操作部２４を上方へ持ち上げると、操作部２４に連結されたラック２０も上方へ移動し、ラック２０と噛み合うように配置されたワンウェイクラッチ２９が回転する（この際、ワンウェイクラッチ３０は空転する）。こうしてラック２０の上方への直線運動が回転運動へと変換され、軸２８に取り付けられたかさ歯車２２へ、かさ歯車２２と噛み合うように配置されたかさ歯車２６へ、軸２０の下部へ取り付けられたかさ歯車１６へ、かさ歯車１６と噛み合うように配置されたかさ歯車１５へ、軸１２のかさ歯車１５と反対方向に取り付けられたかさ歯車９へ、かさ歯車９と噛み合うように配置されたかさ歯車８へと伝達され、軸６の上部へ取り付けられた撹拌スクリュー４を回転させる。
【００１５】
次に、使用者が上方に持ち上げた操作部２４を下方へ押すと、操作部２４に連結されたラック２０も下方へ移動し、ラック２０と噛み合うように配置されたワンウェイクラッチ３０が回転する（この際、ワンウェイクラッチ２９は空転する）。こうしてラック２０の下方への直線運動も回転運動へと変換され、上記同様に動力が伝達され、撹拌スクリュー４を回転させる。
【００１６】
使用者は、液体が十分撹拌されるまで操作部２４を上下させる。
【符号の説明】
【００１７】
１ 蓋部
２ 容器本体
３ 留め具 
４ 撹拌スクリュー
５ 容器底部（脱着式）
６,１２,１９,２８,３１ 軸
７,１０,１４,１７,２５ すべり軸受
８,９,１５,１６,２２,２６,２７ かさ歯車
１１,１３,１８,２１ 支持部
２０ ラック
２３ 連結部   
２４ 操作部
２９,３０ ワンウェイクラッチ
【図１】
0003194290.tif 000003
【図２】
0003194290.tif 000004
【図３】
0003194290.tif 000005
【手続補正書】
【提出日】平成26年9月21日(2014.9.21)
【手続補正１】
【補正対象書類名】明細書
【補正対象項目名】００１４
【補正方法】変更
【補正の内容】
【００１４】
先ず、使用者が操作部２４を上方へ持ち上げると、操作部２４に連結されたラック２０も上方へ移動し、ラック２０と噛み合うように配置されたワンウェイクラッチ２９が回転する（この際、ワンウェイクラッチ３０は空転する）。こうしてラック２０の上方への直線運動が回転運動へと変換され、軸２８に取り付けられた平歯車２７へ、平歯車２７と噛み合うように配置された平歯車３４へ、軸３２の平歯車３４と反対方向に取り付けられたかさ歯車２２へ、かさ歯車２２と噛み合うように配置されたかさ歯車２６へ、軸２０の下部へ取り付けられたかさ歯車１６へ、かさ歯車１６と噛み合うように配置されたかさ歯車１５へ、軸１２のかさ歯車１５と反対方向に取り付けられたかさ歯車９へ、かさ歯車９と噛み合うように配置されたかさ歯車８へと伝達され、軸６の上部へ取り付けられた撹拌スクリュー４を回転させる。
【手続補正２】
【補正対象書類名】明細書
【補正対象項目名】００１７
【補正方法】変更
【補正の内容】
【００１７】
１ 蓋部
２ 容器本体
３ 留め具 
４ 撹拌スクリュー
５ 容器底部（脱着式）
６,１２,１９,２８,３１，３２ 軸
７,１０,１４,１７,２５ すべり軸受
８,９,１５,１６,２２,２６ かさ歯車
１１,１３,１８,２１ 支持部
２０ ラック
２３ 連結部   
２４ 操作部
２７，３３，３４ 平歯車
２９,３０ ワンウェイクラッチ
【手続補正３】
【補正対象書類名】図面
【補正対象項目名】全図
【補正方法】変更
【補正の内容】
【図１】
0003194290.tif 000006
【図２】
0003194290.tif 000007
【図３】
0003194290.tif 000008